(57)【要約】      （修正有）【課題】よい通用性があり、様々なタイプの発電機を配合でき、たくさんの発電機を搭載でき、また、良い放熱性があり、発電機の使用寿命を延ばすことができる１種の発電ユニットキャビネットを提供する。【解決手段】キャビネット本体１、及びキャビネット本体の底に設置されるシュート１０１、シュート内のキャリッジ２を含む。キャリッジの上部に定位ボックス２０１があり、定位ボックスの前端に発電機をロックするためのロックネジ２０２がある。キャビネット本体の後に、定位ボックスに対して放熱槽１０２がある。キャビネット本体の後の頂部の近い位置に、排煙口１０３が設置される。キャビネット本体の後の下端の近い位置に、リザーブタンク１０４が設置される。リザーブタンクとシュートが相対する。【選択図】図１
0003200558.tif 000002
【実用新案登録請求の範囲】
【請求項１】
発電ユニットキャビネットにおいて、キャビネット本体、及びキャビネット本体の底に設置されるシュート、シュート内のキャリッジを含み、キャリッジの上部に定位ボックスがあり、定位ボックスの前端に発電機をロックする用のロックネジがあり、キャビネット本体の後方に、定位ボックスに対する放熱槽があり、キャビネット本体の後方の頂部の近い位置に、排煙口が設置され、キャビネット本体の後方の下端の近い位置に、リザーブタンクが設置され、キャビネット本体の側面に、発電機を接続するための送電ポートがあり、キャビネット本体の側面の頂部の近い位置に、送電ポートを接続するための放熱風機があることを特徴とする発電ユニットキャビネット。
【請求項２】
請求項１に記載の発電ユニットキャビネットにおいて、キャビネット本体の前端にキャビネット門が設置され、キャビネット門とキャビネット本体の間にヒンジが接続されることを特徴とする発電ユニットキャビネット。
【請求項３】
請求項１に記載の発電ユニットキャビネットにおいて、キャリッジの前端にハンドルが設置され、ハンドルとキャリッジの間にネジが固定されることを特徴とする発電ユニットキャビネット。
【請求項４】
請求項１に記載の発電ユニットキャビネットにおいて、キャビネット本体の底部に四つ以上のシズネフロアマットが設置され、シズネフロアマットはゴムで作られ、シズネフロアマットとキャビネット本体の間は固定されることを特徴とする発電ユニットキャビネット。
【考案の詳細な説明】
【技術分野】
【０００１】
本実用新案は、1種の発電ユニットキャビネットにかかわる。
【背景技術】
【０００２】
コンテナ式の移動発電装備は、コンテナ技術構造の発電ユニットのキャビネットを採用される。だから、標準化とシリーズ化程度が高い、輸送が便利でなどの特徴はあり、応用が比較的に広い。既存のコンテナ式の発電キャビネットは、モデルと付帯設備により、専用的に設計する。常に、発電キャビネットの大部分装置は、キャビネットの内にある。
【０００３】
既存の技術中で、キャビネットの通用性が良いない。通常は一つモデルの発電機に単独で設計すると製造するから、後期にキャビネット部分に対して修理する時に、専用なパーツを必要で、とても面倒くさい。
【考案の概要】
【考案が解決しようとする課題】
【０００４】
本実用新案が解決の技術問題は、1種の発電ユニットキャビネットを提供する。このキャビネットは、よい通用性があり、様々なタイプの発電機を配合できる。当時に、発電機をよい固定できり、たくさんの発電機を搭載できる。この発電機は、単独のキャリッジを採用し支えて、分解することが十分に便利で、点検することもやすい。また、この装置は、良い放熱性があり、発電機の使用寿命を延ばすことができる。
【課題を解決するための手段】
【０００５】
これ以上の問題を解決するために、本実用新案は以下の技術方案を採用する。1種の発電ユニットキャビネットは、キャビネット本体、及びキャビネット本体の底に設置されるシュート、シュート内のキャリッジを含みる。キャリッジの上部に定位ボックスがあり、定位ボックスの前端に発電機をロックする用のロックネジがある。キャビネット本体の後に、定位ボックスに対して放熱槽がある。キャビネット本体の後の頂部を近く位置に、排煙口を設置される。キャビネット本体の後の下端を近く位置に、リザーブタンクを設置される。リザーブタンクとシュートが相対する。キャビネット本体の側面に、発電機を接続する用の送電ポートがある。キャビネット本体の側面の頂部を近く位置に、送電ポートを接続するの放熱風機がある。
【０００６】
優先的な技術方案として、キャビネット本体の前端にキャビネット門を設置され、キャビネット門とキャビネット本体の間にヒンジを接続する。
【０００７】
優先的な技術方案として、キャリッジの前端にハンドルを設置され、ハンドルとキャリッジの間にネジを固定される。
【０００８】
優先的な技術方案として、キャビネット本体の底部に四つ以上のシズネフロアマットを設置される。シズネフロアマットがゴムで作られ、シズネフロアマットとキャビネット本体の間に凝着的に固定される。
【考案の効果】
【０００９】
本実用新案の有益効果は、このキャビネットは、よい通用性があり、様々なタイプの発電機を配合できる。当時に、発電機をよい固定できり、たくさんの発電機を搭載できる。この発電機は、単独のキャリッジを採用し支えて、分解することが十分に便利で、点検することもやすい。また、この装置は、良い放熱性があり、発電機の使用寿命を延ばすことができる。それ以外、この装置の構造が簡単で、コストも低いから、広く利用することを推進できる。
【図面の簡単な説明】
【００１０】
【図１】本実用新案の構造の見取り図である。
【考案を実施するための形態】
【００１１】
下で、付図を組み合わせって、本実用新案の好ましい実施例に詳しく述べる。本実用新案の長所と特徴は、本分野の技術者にもっとやすく理解され、本実用新案の保護範囲にはっきり明確な定義をするためである。
【００１２】
図1の一種の発電ユニットキャビネットを参考する。この中で、キャビネット本体１、及びキャビネット本体１の底に設置されるシュート101、シュート101内のキャリッジ2を含みる。キャリッジ2の上部に定位ボックス201があり、定位ボックス201の前端に発電機をロックする用のロックネジ202がある。キャビネット本体1の後に、定位ボックス201に対して放熱槽102がある。キャビネット本体1の後の頂部を近く位置に、排煙口103を設置される。キャビネット本体1の後の下端を近く位置に、リザーブタンク104を設置される。リザーブタンク104とシュート101が相対する。キャビネット本体1の側面に、発電機を接続する用の送電ポート105がある。キャビネット本体1の側面の頂部を近く位置に、送電ポート105を接続するの放熱風機106がある。
【００１３】
本実用新案の中で、好ましい実施例がある。キャビネット本体１の前端にキャビネット門107を設置され、キャビネット門107とキャビネット本体1の間にヒンジを接続する。
【００１４】
本実用新案の中で、好ましい実施例がある。キャリッジ2の前端にハンドル203を設置され、ハンドル203とキャリッジ2の間にネジを固定される。
【００１５】
本実用新案の中で、好ましい実施例がある。キャビネット本体1の底部に四つ以上のシズネフロアマット109を設置される。シズネフロアマット109がゴムで作られ、シズネフロアマット109とキャビネット本体１の間に凝着的に固定される。
【００１６】
本実用新案の有益効果は、このキャビネットは、よい通用性があり、様々なタイプの発電機を配合できる。当時に、発電機をよい固定できり、たくさんの発電機を搭載できる。この発電機は、単独のキャリッジを採用し支えて、分解することが十分に便利で、点検することもやすい。また、この装置は、良い放熱性があり、発電機の使用寿命を延ばすことができる。それ以外、この装置の構造が簡単で、コストも低いから、広く利用することを推進できる。
【００１７】
以上のものは、本実用新案の基本的な原理、主要な特徴と利点を表示と記述した。当業界の技術者が理解するべきだことは、本実用新案が上記の実施例の制限を受けないである。上記の実施例と説明書の中で記述されたことは、本実用新案の原理を説明するだけである。本実用新案の精神と範囲を離れなく前提の下で、本実用新案は、また各種の変化と改善がある。これらの変化と改善ことは、本実用新案を保護するの範囲に入る。本実用新案は、保護範囲が添付の権利請求書と同じ物に定義されることを要求する。
【符号の説明】
【００１８】
１  キャビネット本体
2  キャリッジ
101  シュート
102  放熱槽
103  排煙口
104  リザーブタンク
105  送電ポート
106  放熱風機
201  定位ボックス
【図１】
0003200558.tif 000003